(57)【要約】【目的】本発明は壁材を直接、釘等の固定具で打設することなく、断熱性、防火性、防水性、施工性等に優れ、壁材を壁下地に簡単に施工できる壁材の取付構造に関するものである。【構成】幅方向の一側端縁には外側方に突出した雌実部１８、他側端縁には内側方に突出した雄実部１９を形成した壁材Ｂと、長尺状の下地兼取付部材Ａとからなり、壁下地αに下地兼取付部材Ａが複数枚連結して固定具βにより固定され、壁材Ｂの雄実部１９は固定具βにより固定されると共に、雄実部１９に雌実部１８を挿入されて固定されている壁材Ｂの取付構造である。【選択図】図１
2007120226.tif 000002
【特許請求の範囲】
【請求項１】
幅方向の一側端縁には外側方に突出した雌実部、他側端縁には内側方に突出した雄実部を形成した壁材と、長尺状の下地兼取付部材とからなり、壁下地に下地兼取付部材が複数枚連結して固定具により固定され、壁材の雄実部は固定具により固定されると共に、雄実部に雌実部を挿入して固定されていることを特徴とする壁材の取付構造。
【発明の詳細な説明】
【技術分野】
【０００１】
本発明は壁材を直接、釘等の固定具で打設することなく、断熱性、防火性、防水性、施工性等に優れ、壁材を壁下地に簡単に施工できる壁材の取付構造に関するものである。
【背景技術】
【０００２】
一般に壁材、例えば表面材をセメントを主材とした窯業系の壁材を形成し、裏面に断熱性のあるサイディングを形成したものが数多く上市されている。そして、これらの壁材は壁下地に固定する際に、壁材が一体に形成されたサイディングを、固定具を釘等の固定具を介して取り付ける方法が採られている。（特許文献１〜３参照）。また、壁材を壁下地に固定する際に、係止片を形成した下地材に嵌合して取り付ける方法が採られている。（特許文献４参照）。さらに、防火下地材上に外装タイルをハット状のタイル固定部材を介して固定する構造体等もあった。（特許文献５参照）
【０００３】
【特許文献１】特開平８−３３３８６２号公報
【特許文献２】特開平１０−８８７７２号公報
【特許文献３】特開平１１−１３１７４６号公報
【特許文献４】特開平４−２６１９５８号公報
【特許文献５】特開平４−１０８９５１号公報
【発明の開示】
【発明が解決しようとする課題】
【０００４】
しかしながら、特許文献１〜３は壁材と下地となるサイディング材の一体化が接着材の接着強度、耐久性、耐候性の問題で難しく、剥落の危険性は免れないものであった。また、特許文献４は下地材の横突条部に外装壁片をクリップを介して固定する構造であるが、タイルの成形精度とクリップの成形の関係で、ガタ付く危険性があった。さらに、特許文献５は外装タイルをハット状のタイル固定部材を介して固定する構造体であるが、目地部にモルタル等を形成する必要があり、形成しないとガタ付く危険性があった。
【課題を解決するための手段】
【０００５】
本発明はこのような課題を解決するために、幅方向の一側端縁には外側方に突出した雌実部、他側端縁には内側方に突出した雄実部を形成した壁材と、長尺状の下地兼取付部材とからなり、壁下地に下地兼取付部材が複数枚連結して固定具により固定され、壁材の雄実部は固定具により固定されると共に、雄実部に雌実部を挿入されて固定されている壁材の取付構造を提供するものである。
【発明の効果】
【０００６】
上述したように本発明に係る壁材の取付構造によれば、（１）断熱性がある壁体となる。（２）気密性のある壁体となる。（３）取付具を使用しないので、ガタ付かない。等の特徴、効果がある。
【発明を実施するための最良の形態】
【０００７】
以下に図面を用いて、本発明に係る壁材の取付構造の一実施例について詳細に説明する。図１（ａ）、（ｂ）〜図４（ａ）、（ｂ）は上記取付構造を説明する断面図、図５（ａ）、（ｂ）、図６、図７は本発明に係る壁材の取付構造に使用する下地兼取付部材Ａを示す説明図、図８（ａ）、（ｂ）〜図１０（ａ）〜（ｇ）は壁材Ｂを示す説明図である。なお、図１（ａ）、図２（ａ）、（ｂ）、図３（ａ）、（ｂ）、図５（ａ）は下地兼取付部材Ａを縦張り、壁材Ｂを縦張りで形成した場合の取付構造を説明する断面図、図１（ｂ）、図２（ａ）、（ｂ）、図４（ａ）、（ｂ）、図５（ｂ）は下地兼取付部材Ａを縦張り、壁材Ｂを横張りで形成した場合の取付構造を説明する断面図である。
【０００８】
下地兼取付部材Ａは後記する壁材Ｂの下地材として機能し、壁材Ｂの固定下地、断熱下地、防水下地、気密下地、防火下地、耐火下地、耐震下地、等として有用なもので、表面材Ｃ、芯材Ｄ、裏面材Ｅよりなるものである。表面材Ｃとしては、例えば図６、図７に示すように、カラー鋼板、アルミ・亜鉛合金メッキ鋼板、アルミニウム板、チタン板、ステンレス板、銅板、フッ素樹脂被覆鋼板、クラッド鋼板、ラミネート鋼板、制振鋼板等の金属薄板、等をロール成形、プレス成形したもの、あるいはアルミニウム合金、合成樹脂材、等を押出成形して長尺状に形成したものである。施工は、縦張りでも横張りでも可能である。
【０００９】
芯材Ｄとしてはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいは石膏ボード、セメント板、炭酸カルシウム板、珪酸カルシウム板、セラミック板、木片セメント板、炭酸マグネシウム板、シージングボード、シージングインシュレーションボード、合板、またはグラスウール、ロックウール、等の繊維系断熱材、等よりなるもの、さらにはこれらをカナッペ構造、サンドイッチ構造に形成した複合板、もしくはこれらをシートとカナッペ構造、サンドイッチ構造に形成した複合板、等の一種よりなるものである。
【００１０】
裏面材Ｅは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００１１】
さらに詳説すると、下地兼取付部材Ａの形状は、垂直平面状の化粧面１と、化粧面１の上端２に雌型連結部４、下端３に雄型連結部５を形成したものである。
【００１２】
雌型連結部４は、上端を上方に突出した差込片６と、差込片６の先端を内側方に屈曲した上面７と、上面７の先端を外側方へ突出した下面８と、上面７と下面８とから形成した差込溝９と、下面８をさらに外側方へ突出した固定面１０と、固定面１０の先端を折り返した舌片１１とから形成したものである。雄型連結部５は、下端を内方に屈曲した下片１２と、下片１２の先端を内側方に突出した上片１３と、上片１３の先端を外側方に突出した係合片１４と、上片１３と係合片１４とから形成した係合溝１５と、係合溝１５の最奥に形成したパッキング材１６とから形成したものである。
【００１３】
雌型連結部４と雄型連結部５は図２（ａ）、（ｂ）に示すように連結されて固定面１０が固定具βにより壁下地αに固定されるものである。
【００１４】
勿論、載置部１１の形成ピッチは壁材Ｂの働き幅と同じである。
【００１５】
壁材Ｂは木板（樹種としてはウエスタンレッドシーダー、ひのき、ヒバ、杉、唐松、欧州赤松、スプルース、米ツガ、等からなるものである。また、表面、実部には防虫・防蟻処理、着色等のために、含浸型塗料（キシラデコール等）を塗装したものを使用するものである。特に、ひのき、欧州赤松は耐湿性、耐水性、耐腐朽性の高い樹種である。）、あるいは硬質機材（例えば、タイル、セラミック板、あるいはセメント板、炭酸カルシウム板、珪酸カルシウム板、木片セメント板、炭酸マグネシウム板等、もしくはこれらにガラス繊維、ウィスカー、アラミド繊維、スチール繊維、炭素繊維、各種鉱物繊維、各種骨材等を混入したもの、等を押出成形、プレス成形、射出成形、抄造法、等によって成形した窯業系サイディング材、または各種繊維をクロス状、三次元状に織り、これにセメント、粘土等を含浸してパネル状に成形したものを乾燥、蒸気養生、焼成、等したもの）、さらには金属製パネル、金属製サイディング材（金属製表面材の裏面に合成樹脂発泡体等の芯材を積層した建材、金属製表面材と裏面材間に合成樹脂発泡体等の芯材をサンドイッチした建材、等）、合成樹脂板、等からなるものである。
【００１６】
壁材Ｂの一例としては図８（ａ）、（ｂ）（斜視図）、図９（ａ）〜（ｃ）（（ａ）図は断面図、（ｂ）図は拡大右側面図、（ｃ）図は拡大左側面図）、図１０(ａ)〜（ｇ）（（ａ）図は正面図、（ｂ）図は背面図、（ｃ）図は平面図、（ｄ）図は底面図、（ｅ）図は右側面図、（ｆ）図は左側面図、（ｇ）図は（ａ）図のａ−ａ線断面図）に示すようなものである。
【００１７】
さらに説明すると、壁材Ｂは長尺板状で表面の化粧面１７と、化粧面１７の幅方向上下端に相决り状の雌実部１８と雄実部１９を有し、かつ、雌実部１８には嵌合片２０、雄実部１９には係止溝２１を形成し、化粧面１７の長手方向の一端部には凹溝２２と上面２３と下面２４、他端には凸面２５と上溝２６と下溝２７を形成したものである。
【００１８】
壁材Ｂの左右端部は、凹溝２２と凸面２５、上面２３と上溝２６、下面２４と下溝２７、とが互いに挿入連結されて一体化するものである。施工は、縦張りでも横張りでも可能である。
【００１９】
以上説明したのは、本発明に係る壁材の取付構造の一実施例にすぎず、図１１（ａ）〜（ｈ）、図１２（ａ）〜（ｈ）に示すように下地兼取付部材Ａを使用することができる。
【００２０】
以上、壁材Ｂを縦張りで施工する取付構造について説明したが、発明に係る壁材の取付構造においては、壁材Ｂを横張りで施工する取付構造とすることも可能である。勿論、下地兼取付部材Ａも縦張り、横張りで施工することができるものである。
【図面の簡単な説明】
【００２１】
【図１】本発明に係る壁材の取付構造の施工状態の代表例を示す断面図である。
【図２】本発明に係る壁材の取付構造の施工状態の代表例を示す断面図である。
【図３】本発明に係る壁材の取付構造の施工状態の代表例を示す断面図である。
【図４】本発明に係る壁材の取付構造の施工状態の代表例を示す断面図である。
【図５】本発明に係る壁材の取付構造の施工状態の代表例を示す断面図である。
【図６】本発明に係る壁材の取付構造に使用する下地兼取付部材の代表例を示す説明図である。
【図７】本発明に係る壁材の取付構造に使用する下地兼取付部材の代表例を示す説明図である。
【図８】本発明に係る壁材の取付構造に使用する壁材の代表例を示す説明図である。
【図９】本発明に係る壁材の取付構造に使用する壁材の代表例を示す説明図である。
【図１０】本発明に係る壁材の取付構造に使用する壁材の代表例を示す説明図である。
【図１１】本発明に係る壁材の取付構造に使用する下地兼取付部材のその他の実施例を示す説明図である。
【図１２】本発明に係る壁材の取付構造に使用する下地兼取付部材のその他の実施例を示す説明図である。
【符号の説明】
【００２２】
Ａ  下地兼取付部材
Ｂ  壁材
Ｃ  表面材
Ｄ  芯材
Ｅ  裏面材
α  壁下地
β  固定具
１  化粧面
２  上端
３  下端
４  雌型連結部
５  雄型連結部
６  差込片
７  上面
８  下面
９  差込溝
１０  固定面
１１  舌片
１２  下片
１３  上片
１４  係合片
１５  係合溝
１６  パッキング材
１７  化粧面
１８  雌実部
１９  雄実部
２０  嵌合片
２１  係止溝
２２  凹溝
２３  上面
２４  下面
２５  凸面
２６  上溝
２７  下溝
２８  突起
【図１】
2007120226.tif 000003
【図２】
2007120226.tif 000004
【図３】
2007120226.tif 000005
【図４】
2007120226.tif 000006
【図５】
2007120226.tif 000007
【図６】
2007120226.tif 000008
【図７】
2007120226.tif 000009
【図８】
2007120226.tif 000010
【図９】
2007120226.tif 000011
【図１０】
2007120226.tif 000012
【図１１】
2007120226.tif 000013
【図１２】
2007120226.tif 000014